(57)【要約】【課題】シングルエンド型増幅回路のポップノイズを低減する。【解決手段】ｐチャネル型出力用トランジスタＱ１とｎチャネル型出力用トランジスタＱ２とが直列に接続されたシングルエンド型増幅回路２００において、ｎチャネル型出力用トランジスタＱ２のゲート−ドレイン間をコンデンサＣ１を介して接続する、又は、ゲート−ソース間をコンデンサＣ２を介して接続する。【選択図】図１
2009021740.tif 000002
【特許請求の範囲】
【請求項１】
ｐチャネル型出力用トランジスタとｎチャネル型出力用トランジスタとが直列に接続されたシングルエンド型増幅回路であって、
前記ｐチャネル型出力用トランジスタのサイズは前記ｎチャネル型出力用トランジスタに比べて大きいものであり、
前記ｎチャネル型出力用トランジスタのゲート−ドレイン間又はゲート−ソース間がコンデンサを介して接続されていることを特徴とするシングルエンド型増幅回路。
【請求項２】
請求項１に記載のシングルエンド型増幅回路であって、
前記ｎチャネル型出力用トランジスタのゲート−ドレイン間及びゲート−ソース間がコンデンサを介して接続されていることを特徴とするシングルエンド型増幅回路。
【請求項３】
請求項２に記載のシングルエンド型増幅回路であって、
前記ｐチャネル型出力用トランジスタのゲート電極の幅は、前記ｎチャネル型出力用トランジスタのゲート電極の幅に比べて広いことを特徴とするシングルエンド型増幅回路。
【請求項４】
請求項２又は３に記載のシングルエンド型増幅回路であって、
前記ｎチャネル型出力用トランジスタのゲート−ドレイン間の容量値と、前記ｐチャネル型出力用トランジスタのゲート−ドレイン間の寄生容量値と、が実質的に等しく、
前記ｎチャネル型出力用トランジスタのゲート−ソース間の容量値と、前記ｐチャネル型出力用トランジスタのゲート−ソース間の寄生容量値と、が実質的に等しいことを特徴とするシングルエンド型増幅回路。
【請求項５】
請求項１〜４のいずれか１つに記載のシングルエンド型増幅回路であって、
１００ｍＷ以下の出力容量のスピーカの駆動用であることを特徴とするシングルエンド型増幅回路。
【発明の詳細な説明】
【技術分野】
【０００１】
本発明は、ポップノイズを低減したシングルエンド型増幅回路に関する。
【背景技術】
【０００２】
ヘッドフォン用スピーカ等の駆動用回路としてシングルエンド型増幅回路が用いられている。ヘッドフォン用スピーカは、例えば、１０ｍＷから１００ｍＷ程度の定格出力を有する増幅回路により駆動される。
【０００３】
シングルエンド型増幅回路１００は、図２に示すように、プッシュプル型増幅回路が挙げられる。シングルエンド型増幅回路１００は、プリアンプ回路１０、出力用トランジスタＱ１，Ｑ２、コンデンサＣ及びスピーカ１２を含んで構成される。出力用トランジスタＱ１はｐチャネルの電界効果型トランジスタ（ＦＥＴ）であり、出力用トランジスタＱ２はｎチャネルの電界効果型トランジスタ（ＦＥＴ）である。出力用トランジスタＱ１のドレインは電源Ｖｃｃに接続され、ソースが出力用トランジスタＱ２のドレインに接続される。出力用トランジスタＱ２のソースは接地される。出力用トランジスタＱ１，Ｑ２のゲートにはプリアンプ回路１０が接続される。出力用トランジスタＱ１のソースと出力用トランジスタＱ２のドレインとの接続点が出力端となる。出力端には、コンデンサＣを介して、スピーカ１２が接続される。スピーカの一端は接地される。
【０００４】
プリアンプ回路１０で出力用トランジスタＱ１，Ｑ２のゲート電圧を制御することによって、出力用トランジスタＱ１，Ｑ２の出力によりスピーカ１２を駆動する。
【発明の開示】
【発明が解決しようとする課題】
【０００５】
シングルエンド型増幅回路において、ｐチャネルの出力用トランジスタＱ１はｎチャネルの出力用トランジスタＱ２に比べて電流駆動能力が劣るため、出力用トランジスタＱ１のサイズを出力用トランジスタＱ２のサイズより大きくする必要がある。そのため、出力用トランジスタＱ１のゲート−ドレイン間の寄生容量値及びゲート−ソース間の寄生容量値は出力用トランジスタＱ２よりも大きくなる。
【０００６】
このように出力用トランジスタＱ１，Ｑ２の間でゲート−ドレイン間の寄生容量値及びゲート−ソース間の寄生容量値が一致しない場合、シングルエンド型増幅回路を含むシステムの起動時において、ポップノイズと呼ばれるノイズ音が発生する。
【０００７】
具体的には、シングルエンド型増幅回路１００を含むシステムを起動するとき、プリアンプ回路１０はトランジスタＱ１，Ｑ２がオン状態となるようなゲート電圧を出力する。このとき、トランジスタＱ１，Ｑ２のゲート−ドレイン間の寄生容量値及びゲート−ソース間の寄生容量値の違いにより、トランジスタＱ２はトランジスタＱ１よりも早くオン状態となり、出力端は接地される。トランジスタＱ２がオン状態となった後にトランジスタＱ１もオン状態となり、出力端の電圧値は上昇する。この際の出力端の電圧変化はポップノイズとなり、スピーカ１２からノイズ音が発生する。
【０００８】
本発明は、上記課題を鑑み、システム起動時のポップノイズを低減させたシングルエンド型増幅回路を提供することを目的とする。
【課題を解決するための手段】
【０００９】
本発明の１つの態様は、ｐチャネル型出力用トランジスタとｎチャネル型出力用トランジスタとが直列に接続されたシングルエンド型増幅回路であって、前記ｐチャネル型出力用トランジスタのサイズは前記ｎチャネル型出力用トランジスタに比べて大きいものであり、前記ｎチャネル型出力用トランジスタのゲート−ドレイン間又はゲート−ソース間がコンデンサを介して接続されていることを特徴とする。
【００１０】
ここで、前記ｎチャネル型出力用トランジスタのゲート−ドレイン間及びゲート−ソース間がコンデンサを介して接続されていることが好適である。このとき、前記ｐチャネル型出力用トランジスタのゲート電極の幅は、前記ｎチャネル型出力用トランジスタのゲート電極の幅に比べて広いことが好適である。また、前記ｎチャネル型出力用トランジスタのゲート−ドレイン間の容量値と、前記ｐチャネル型出力用トランジスタのゲート−ドレイン間の寄生容量値と、が実質的に等しく、前記ｎチャネル型出力用トランジスタのゲート−ソース間の容量値と、前記ｐチャネル型出力用トランジスタのゲート−ソース間の寄生容量値と、が実質的に等しいことがより好適である。
【００１１】
このようなシングルエンド型増幅回路は、１００ｍＷ以下の出力容量のスピーカの駆動用である場合にポップノイズを低減する効果が高い。
【発明の効果】
【００１２】
本発明によれば、シングルエンド型増幅回路のポップノイズを低減することができる。
【発明を実施するための最良の形態】
【００１３】
本発明の実施の形態におけるシングルエンド型増幅回路２００は、図１に示すように、プリアンプ回路１０、出力用トランジスタＱ１，Ｑ２、出力用コンデンサＣ、スピーカ１２及びコンデンサＣ１，Ｃ２を含んで構成される。シングルエンド型増幅回路２００は、ヘッドフォン用スピーカ等の駆動用回路として用いられる。ヘッドフォン用スピーカは、例えば、１０ｍＷから１００ｍＷ程度の定格出力に対応する場合が多い。
【００１４】
出力用トランジスタＱ１はｐチャネルの電界効果型トランジスタ（ＦＥＴ）であり、出力用トランジスタＱ２はｎチャネルの電界効果型トランジスタ（ＦＥＴ）である。出力用トランジスタＱ１のドレインは電源Ｖｃｃに接続され、ソースが出力用トランジスタＱ２のドレインに接続される。出力用トランジスタＱ２のソースは接地される。出力用トランジスタＱ１，Ｑ２のゲートにはプリアンプ回路１０が接続される。出力用トランジスタＱ１のソースと出力用トランジスタＱ２のドレインとの接続点が出力端となる。出力端には、コンデンサＣを介して、スピーカ１２が接続される。スピーカの一端は接地される。
【００１５】
ヘッドフォン用スピーカを駆動する目的の場合、出力用トランジスタＱ１，Ｑ２のゲート幅Ｗは数ｍｍ及びゲート長Ｌは数μｍに設定される。例えば、出力用トランジスタＱ１のゲート幅Ｗ１を３ｍｍ及びゲート長Ｌ１を２μｍとした場合、出力用トランジスタＱ２のゲート幅Ｗ２を１．５ｍｍ及びゲート長Ｌ２を２μｍとする。このように、ｐチャネルの出力用トランジスタＱ１はｎチャネルの出力用トランジスタＱ２に比べて電流駆動能力が劣るため、出力用トランジスタＱ１のサイズを出力用トランジスタＱ２のサイズより大きくする必要がある。そのため、出力用トランジスタＱ１のゲート−ドレイン間の寄生容量値及びゲート−ソース間の寄生容量値は出力用トランジスタＱ２よりも大きくなる。
【００１６】
本実施の形態におけるシングルエンド型増幅回路２００では、ｎチャネルの出力用トランジスタＱ２のゲート−ドレイン間がコンデンサＣ１を介して接続される。また、ｎチャネルの出力用トランジスタＱ２のゲート−ソース間がコンデンサＣ２を介して接続される。
【００１７】
このとき、出力用トランジスタＱ２のゲート−ドレイン間の容量値と、出力用トランジスタＱ１のゲート−ドレイン間の寄生容量値と、が実質的に等しくなるようにコンデンサＣ１の容量値を設定する。また、出力用トランジスタＱ２のゲート−ソース間の容量値と、出力用トランジスタＱ１のゲート−ソース間の寄生容量値と、が実質的に等しくなるようにコンデンサＣ２の容量値を設定する。ここで、容量値が実質的に等しいとは、容量値の差が±１０％以内に収まっていることをいう。
【００１８】
このように、出力用トランジスタＱ１のゲート−ドレイン間の容量値と、出力用トランジスタＱ２のゲート−ドレイン間の容量値と、が実質的に等しく、出力用トランジスタＱ１のゲート−ソース間の容量値と、出力用トランジスタＱ２のゲート−ソース間の容量値と、が実質的に等しくなるように回路を構成することによって、増幅回路の起動時において、出力用トランジスタＱ１の立ち上がりと出力用トランジスタＱ２の立ち上がりとを略等しくすることができる。これにより、スピーカ１２側での電圧降下に起因するポップノイズの発生を抑制することができる。
【００１９】
なお、本実施の形態では、出力用トランジスタＱ１，Ｑ２のゲート−ドレイン間及びゲート−ソース間をそれぞれ実質的に等しくなるようにしたが、ゲート−ドレイン間又はゲート−ソース間の容量値が実質的に等しくなるようにすればよい。すなわち、ゲート−ドレイン間をコンデンサＣ１で接続する、又は、ゲート−ソース間をコンデンサＣ２で接続する構成としてもよい。これによって、スピーカ１２側での電圧降下に起因するポップノイズの発生をある程度抑制することができる。
【００２０】
本実施の形態におけるシングルエンド型増幅回路は、１００ｍＷ以下の出力容量のスピーカの駆動用である場合にポップノイズを低減する効果が高い。すなわち、１００ｍＷ以下の低い出力容量のスピーカではポップノイズによる影響が大きいからである。さらに、ヘッドフォン用のスピーカを駆動する場合、耳の近くでスピーカが鳴らされる点からもポップノイズの低減の効果が大きい。
【図面の簡単な説明】
【００２１】
【図１】本発明の実施の形態におけるシングルエンド型増幅回路の構成を示す図である。
【図２】従来のシングルエンド型増幅回路の構成を示す図である。
【符号の説明】
【００２２】
１０  プリアンプ回路、１２  スピーカ、Ｑ１，Ｑ２  出力用トランジスタ、Ｃ  出力用コンデンサ、Ｃ１，Ｃ２  コンデンサ、１００，２００  シングルエンド型増幅回路。
【図１】
2009021740.tif 000003
【図２】
2009021740.tif 000004